(57)【要約】【課題】  簡単な機構により、製作コストがかからず、使用中に脇息が前後方向に動いていってしまうこともなく、横幅の異なる座部に対しても十分に対応でき、一個だけでも所期の機能が発揮される脇息を提供すること。【解決手段】    脇息の基台から内側方へ下位支持板を延べ出し、該下位支持板の上方に上位抑え板を配置し、該上位抑え板の基端を前記基台に立設した高さ位置調節機構に連結した。【選択図】図１
0003162916.tif 000002
【実用新案登録請求の範囲】
【請求項１】
脇息の基台から内側方へ下位支持板を延べ出し、該下位支持板の上方に上位抑え板を配置し、該上位抑え板の基端を前記基台に立設した高さ位置調節機構に連結したことを特徴とする座椅子用脇息。
【請求項２】
高さ位置調節機構を、基台に樹立した支持柱と、支持柱に沿って上下動可能なブロックで構成し、該ブロックに上位抑え板の基端を連結したことを特徴とする請求項１に記載の座椅子用脇息。
【請求項３】
高さ位置調節機構を、基台に設けたネジ孔と、該ネジ孔にねじ込むネジ棒と、該ネジ棒に螺合する下位支持ナットおよび上位抑え蝶ナットで構成し、上位抑え板の基端には前記ネジ棒に遊嵌される通孔を設けたことを特徴とする請求項１に記載の座椅子用脇息。
【請求項４】
脇息の基台下面に、下位支持板の基端部が嵌合する凹所を穿設し、前記基端部を基台にねじ付けるように構成したことを特徴とする請求項１、請求項２または請求項３に記載の座椅子用脇息。
【考案の詳細な説明】
【技術分野】
【０００１】  本考案は、座椅子に腰を下ろしてゆったりくつろぐときに腕を乗せておく脇息に関する。
【背景技術】
【０００２】  座椅子に腰を下ろしてくつろぐとき、腕を垂らしたままにせず体の横に平らになるようにしておくとゆったりとくつろげる。そのための用具として従来から用いられていたのが、脇息である。
脇息は、その使用態様からして、座椅子の座部の側方に一定の距離をおいて常に位置していなければならない。そうしないと、使用者が座椅子に座り脇息に腕を載せると、脇息が外方や前方に押し出されるなどして体から離れていってしまうからである。【０００３】  この問題を解決するためにこれまで取られてきた手段は、脇息を座椅子またはその座部と関連付けて配置することであった。特許文献１にはその一例が示されている。
ところが、座椅子には、使用する人の体の大きさなどに適合するように、さまざまな大きさや形状のものが作られている。したがって、脇息においても、各種の座椅子のそれぞれにマッチした各種のものが選ばれていた。【０００４】  脇息を座椅子またはその座部と関連付けて配置するために用いられていた従来の主な技術は、次の二つであった。
その一は、各種の座椅子に専用の脇息を準備し両者を一体的に結合したものである。他の一は、前記文献（特に、図２を参照。）に見られるように、左右に一対の脇息を配置しその二者を横板などで連結したものである。【０００５】  しかし、前者の技術では、座椅子と脇息とを一体的に結合する機構が複雑になり重量が増し製作コストが嵩む。後者の技術では、脇息は座椅子の座部に固定されていないから、使用中に脇息が前後方向に動いていってしまうのを防ぐことができない。また、横幅の異なる座部に対応させるためには横板の長さを伸縮できるようにする必要があり、伸縮できる機構を付加すればそれが製作コストを高める要因にもなってしまう。さらに、使用者が片手のない障害者であった場合には、一対の脇息は必要でないから、使用しない他方の脇息は無用の長物となる。
【先行技術文献】
【特許文献】
【０００６】
【特許文献１】  実用新案登録第３１４６４３３号
【考案の概要】
【考案が解決しようとする課題】
【０００７】  本考案の技術課題は、従来技術の諸問題を解決し、簡単な機構により、製作コストがかからず、使用中に脇息が前後方向に動いていってしまうこともなく、横幅の異なる座部に対しても十分に対応でき、軽量で持ち運びが容易であり、さらに、使用者が片手のない障害者であった場合には、二個の脇息を買わずとも一個の脇息のみで足り、併せてさまざまな厚みを持った座椅子の座部にも対応できるようにすることにある。
【課題を解決するための手段】
【０００８】  上記技術課題を解決するため、本考案は座椅子の座部の側部を上位抑え板と下位支持板とで上下から挟みつけるようにした。
すなわち、脇息の基台から内側方へ下位支持板を延べ出し、該下位支持板の上方に上位抑え板を配置し、該上位抑え板の基端を前記基台に立設した高さ位置調節機構に連結した。なお、「連結」とは、２個の部材を結びつけたりその結びつきを解いたりすることを意味している。【０００９】  本考案は、支持柱に沿って上下動可能なブロックを用いることにより上位抑え板の高さを自在に変えられるようにした。
すなわち、高さ位置調節機構を、基台に樹立した支持柱と、支持柱に沿って上下動可能なブロックで構成し、該ブロックに上位抑え板の基端を連結した。【００１０】  本考案は、脇息の基台と高さ位置調節機構とを別々に製作できるようにした。
すなわち、高さ位置調節機構を、基台に設けたネジ孔と、該ネジ孔にねじ込むネジ棒と、該ネジ棒に螺合する下位支持ナットおよび上位抑え蝶ナットで構成し、上位抑え板の基端には前記ネジ棒に遊嵌される通孔を設けた。【００１１】  また本考案は、下位支持板を脇息の基台から容易に分離できるようにするため、次の手段を採用した。
脇息の基台下面に、下位支持板の基端部が嵌合する凹所を穿設し、前記基端部を基台にねじ付けるように構成した。
【考案の効果】
【００１２】  本考案では、下位支持板が脇息の基台に設けられ、その上方に高さ位置調節機構に連結した上位抑え板が配置されているから、下位支持板の上に座椅子の座部の側部を載せ、それを上から上位抑え板で抑えてその高さを調節すれば、さまざまな厚みと異なる横幅を持った座部を下位支持板との間にしっかりと挟み付けることができる。そのため、座椅子の座部と脇息の位置は動かぬように固定され、左右の脇息を横板等で連結しなくても、脇息が座椅子に対して前後左右に移動するようなことは起こらず、ひいては、片方だけでの脇息でも十分にその機能を発揮させることができるものとなる。また、全体構成が簡単だから、軽量で持ち運びも容易になる。【００１３】  本考案では、上位抑え板の高さ位置は、基台に樹立した支持柱と、支持柱に沿って上下動可能なブロックで構成されているから、柱に沿って移動と停止ができるブロックでありさえすれば何でも利用でき、市販のブロックを用いて本考案品を製作することが可能になる。【００１４】  本考案では、脇息の基台と高さ位置調節機構とを別々に製作できるようになっているから、特別な加工といえば、ネジ孔を基台に設け、上位抑え板の基端に通孔を設けることだけでよく、該ネジ孔にねじ込むネジ棒と、該ネジ棒に螺合する下位支持ナットおよび上位抑え蝶ナットなどについては、すべて市販の部品をそのまま利用できる。したがって、手間やコストをかけず極めて簡単に本案品を製作することができる。【００１５】  本考案では、下位支持板が脇息の基台の下面にねじ付けられているから、必要に応じて前記ねじをねじ戻すことにより、下位支持板を分離し、本来の脇息だけの元の形に直して使用することができる。
【図面の簡単な説明】
【００１６】
【図１】本考案の一実施例の斜視図である。
【図２】本考案の下位支持板、上位抑え板および高さ位置調節機構と脇息の基台との関連構造を示す断面図である。
【実施例】
【００１７】  添付の図面に記載した符号を用いて、本考案の実施例を説明する。
本考案の高さ位置調節機構３は、上位抑え板２の高さを随意定められるものであればよい。なお、製作コストをできるだけ抑えるという観点から、簡単で取り扱いやすいものを選ぶことが望ましい。
下位支持板１と上位抑え板２には、木、合板、合成樹脂板等が用いられる。ただし、座椅子の座部１１を上下からしっかりと挟み付けるものであるから、そのことが可能な剛性を持ったものでなくてはならない。【００１８】  請求項２に記載した支持柱は、図示を省略したが、座椅子の座部１１を上からしっかりと抑え付けるとき上位抑え板２の基端に生じる荷重、すなわち支持柱を曲げようとする力に抗する剛性を持つ太さのものを選ぶ（後述するネジ棒６も同様である）。また、ブロックも図示は省略したが、これは、上位抑え板２の高さを随意に定められる公知の部品から適宜選ぶことができる。【００１９】  本考案の高さ位置調節機構３の好例を図１および図２に示す。
この例の場合には、まず、ネジ棒６に上位抑え蝶ナット９を捩じ込み、そのネジ棒６に上位抑え板２をその通孔１２を介して取り付け、その下から下位支持ナット７を捩じ込み、それらを取り付けたネジ棒６を脇息の基台４のネジ孔５に捩じ込む。
なお、ネジ棒６に対する上位抑え板２の連結を一層確実なものにするには、図２に示すように、上位抑え板２と前記の各ナット７，９との間に、ゴムブッシュ８を挿入すればよい。【００２０】  ついで、下位支持板１と上位抑え板２の間に、図２に示すように、座椅子の座部１１を差し込む。最後に、上位抑え蝶ナット９と下位支持ナット７を捩ぢ回し上位抑え板２を微調整しながら下降させ、座椅子の底部１１を下位支持板１と上位抑え板２の間にしっかりと挟みこむ。【００２１】  脇息の基台４の下面に穿設する凹所の深さは、図１や図２に示すように、下位支持板１の厚みと同じにすることが望ましい。そうすれば、下位支持板１の下面と脇息の基台４の下面とが同一平面となり、平らな床面に密接し、脇息全体を安定させることができる。なお、当該凹所の穿設位置は、図２のように、ネジ穴５に下位支持板固定ビス１０を捩じ込むことができる位置としてもよいし、バランス等を考慮して他の位置にしてもよいことは勿論である。【００２２】  なお、図には、脇息の基台４として二枚の板を重ねたものが示されているが、このようにすれば次の二つのメリットが得られる。
その一は、二枚の板を重ねれば基台４の厚みが増し、ネジ孔５の深さを深く取ることができるから、ネジ棒６を深く捩じ込んでしっかりと固定できる。その二は、同じ深さが得られる厚い一枚板を用いた場合に比し、二枚板のほうが安価に入手できる上、見た目もよくなる。【００２３】  また、図１の上位抑え板２には、二つの調整孔１３が描かれているが、これは、ネジ棒６を遊嵌する通孔１２を孔１３に代えることによって、上位押さえ板２の内側方への突出長さを、座椅子の底部１１の横幅等に応じて随意に変えることができるようにするためのものである。複数の調整孔１３に代えて、細長いスリットを設けるようにしてもよいことは言うまでもない。
【符号の説明】
【００２４】１    下位支持板
２    上位抑え板
３    高さ位置調節機構
４    脇息の基台
５    脇息の基台のネジ孔
６    ネジ棒
７    下位支持ナット
８    ゴムブッシュ
９    上位抑え蝶ナット
１０  下位支持板固定ビス
１１  座椅子の座部
１２  上位抑え板の通孔
１３  上位抑え板の調整孔
【図１】
0003162916.tif 000003
【図２】
0003162916.tif 000004